(57)【特許請求の範囲】
【請求項１】
満水時溢れ面よりも下方の側壁に温風吹出口が形成された浴槽本体と、浴槽本体上に載置され浴槽本体と協働してサウナ空間を形成する浴槽蓋と、浴槽本体の側壁の外側に配設された温風通路であって、上に凸に屈曲し、一端が温風吹出口に接続すると共に屈曲部が浴槽本体の満水時溢れ面よりも上方に位置する温風通路とを備えることを特徴とする浴槽サウナ装置。
【請求項２】
浴槽本体のリム面に上向きの膨出部が形成され、当該膨出部内に温風通路の屈曲部が配設されていることを特徴とする請求項１に記載の浴槽サウナ装置。
【請求項３】
満水時溢れ面よりも上方の部位に温風吹出口が形成された浴槽本体と、浴槽本体上に載置され浴槽本体と協働してサウナ空間を形成する浴槽蓋と、浴槽本体の側壁の外側に配設され温風吹出口に接続する温風通路と、温風吹出口から吹き出した温風をサウナ空間へ導く温風案内通路とを備えることを特徴とする浴槽サウナ装置。
【請求項４】
浴槽本体のリム面に上向きの膨出部が形成され、当該膨出部に温風吹出口が形成されていることを特徴とする請求項３に記載の浴槽サウナ装置。
【請求項５】
浴槽蓋の周縁部に形成された上に凸の屈曲部であって、施蓋時に温風吹出口の上方に位置する屈曲部により、温風案内通路が形成されていることを特徴とする請求項３又は４に記載の浴槽サウナ装置。
【請求項６】
浴槽蓋内に形成された通路であって、施蓋時に一端が温風吹出口に連通し他端がサウナ空間に連通する通路により、温風案内通路が形成されていることを特徴とする請求項３又は４に記載の浴槽サウナ装置。
【請求項７】
浴槽本体のリム面に開口が形成され、当該開口を取り囲んでリム面に立設された堰により形成される筒体の上端が温風吹出口を形成していることを特徴とする請求項３に記載の浴槽サウナ装置。
【請求項８】
リム面に取り付けられた倒置皿状の案内部材であって、一部が温風吹出口を覆うと共に他の一部がリム面の内縁を越えて浴槽本体の内側へ突出する案内部材により、温風案内通路が形成されていることを特徴とする請求項７に記載の浴槽サウナ装置。
【請求項９】
前記案内部材が嵌合可能な切欠が浴槽蓋に形成されていることを特徴とする請求項８に記載の浴槽サウナ装置。
【請求項１０】
前記案内部材は断熱材で構成されていることを特徴とする請求項８又は９に記載の浴槽サウナ装置。
【請求項１１】
浴槽本体にヘッドレストを有する膨出部が形成され、温風吹出口は当該膨出部から離隔した位置に配設されていることを特徴とする請求項１乃至１０の何れか１項に記載の浴槽サウナ装置。
【請求項１２】
温風を浴槽本体の側壁に沿って吐出させる案内羽根が温風吹出口又はその近傍に取り付けられていることを特徴とする請求項１乃至５の何れか１項に記載の浴槽サウナ装置。
【請求項１３】
温風案内通路のサウナ空間に連通する端部は、浴槽蓋の、施蓋時に浴槽本体の側壁に近接する部位に配設されていることを特徴とする請求項６に記載の浴槽サウナ装置。
【請求項１４】
温風案内通路のサウナ空間に連通する端部は、浴槽本体の側壁に近接していることを特徴とする請求項８に記載の浴槽サウナ装置。
【発明の詳細な説明】
【０００１】
【発明の属する技術分野】
本発明は、浴槽本体と、浴槽本体上に載置され浴槽本体と協働してサウナ空間を形成する浴槽蓋と、浴槽本体に形成された温風吹出口とを備える浴槽サウナ装置に関するものである。
【０００２】
【従来の技術】
浴槽本体と、浴槽本体上に載置され浴槽本体と協働してサウナ空間を形成する浴槽蓋と、浴槽本体の満水時溢れ面よりも下方の側壁に形成されたミスト吹出口と、前記吹出口に連通する通路とを備える浴槽サウナ装置が特開平１０−３１４０６０号に開示されている。
【０００３】
【発明が解決しようとする課題】
特開平１０−３１４０６０号の浴槽サウナ装置には、浴槽本体に湯を溜めて浴槽本体を通常の浴槽として使用する際に、水位がミスト吹出口を越えると、ミスト吹出口に連通する通路を通って浴槽本体外へ湯が流出するので、満水時溢れ面まで浴槽本体に湯を満たすことができないという問題がある。
本発明は上記問題に鑑みてなされたものであり、浴槽本体と、浴槽本体上に載置され浴槽本体と協働してサウナ空間を形成する浴槽蓋と、浴槽本体に形成された温風吹出口と、前記吹出口に連通する通路とを備える浴槽サウナ装置であって、浴槽本体に湯を溜めて浴槽本体を通常の浴槽として使用する際に、満水時溢れ面まで浴槽本体に湯を満たすことができる浴槽サウナ装置を提供することを目的とする。
【０００４】
【課題を解決するための手段】
上記課題を解決するために、本発明においては、満水時溢れ面よりも下方の側壁に温風吹出口が形成された浴槽本体と、浴槽本体上に載置され浴槽本体と協働してサウナ空間を形成する浴槽蓋と、浴槽本体の側壁の外側に配設された温風通路であって、上に凸に屈曲し、一端が温風吹出口に接続すると共に屈曲部が浴槽本体の満水時溢れ面よりも上方に位置する温風通路とを備えることを特徴とする浴槽サウナ装置を提供する。
本発明に係る浴槽サウナ装置においては、温風吹出口が槽本体の満水時溢れ面よりも下方の側壁に形成されているので、温風（本明細書において温風は単なる温風のみならずミストを含む温風をも含む概念である）は温風吹出口から直接サウナ空間へ吹き出す。上に凸に屈曲し、一端が前記吹出口に接続すると共に屈曲部が浴槽本体の満水時溢れ面よりも上方に位置する温風通路を、浴槽本体の側壁の外側に配設したので、浴槽本体に湯を溜めて浴槽本体を通常の浴槽として使用する際に、水位が満水時溢れ面まで達しても、浴槽本体内の湯は温風通路の屈曲部を越えることができず、温風通路を通って浴槽本体から流出することができない。従って、満水時溢れ面まで浴槽本体に湯を満たすことができる。
【０００５】
本発明の好ましい態様においては、浴槽本体のリム面に上向きの膨出部が形成され、当該膨出部内に温風通路の屈曲部が配設されている。
浴槽本体の満水時溢れ面を形成するリム面に上向きの膨出部を形成すれば、当該膨出部内に温風通路の屈曲部を配設することができる。
【０００６】
本発明においては、満水時溢れ面よりも上方の部位に温風吹出口が形成された浴槽本体と、浴槽本体上に載置され浴槽本体と協働してサウナ空間を形成する浴槽蓋と、浴槽本体の側壁の外側に配設され温風吹出口に接続する温風通路と、温風吹出口から吹き出した温風をサウナ空間へ導く温風案内通路とを備えることを特徴とする浴槽サウナ装置を提供する。
浴槽本体の満水時溢れ面よりも上方の部位に温風吹出口が形成されているので、浴槽本体に湯を溜めて浴槽本体を通常の浴槽として使用する際に、水位が満水時溢れ面まで達しても、浴槽本体内の湯は温風吹出口へ流入できず、温風通路を通って浴槽本体から流出することができない。従って、満水時溢れ面まで浴槽本体に湯を満たすことができる。温風吹出口から吹き出した温風は、温風案内通路を通って支障なくサウナ空間へ導かれる。
【０００７】
本発明の好ましい態様においては、浴槽本体のリム面に上向きの膨出部が形成され、当該膨出部に前記吹出口が形成されている。
浴槽本体の満水時溢れ面を形成するリム面に上向きの膨出部を形成し、当該膨出部に温風吹出口を形成することにより、温風吹出口を満水時溢れ面よりも上方に位置決めすることができる。
【０００８】
本発明の好ましい態様においては、浴槽蓋の周縁部に形成された上に凸の屈曲部であって、施蓋時に温風吹出口の上方に位置する屈曲部により、温風案内通路が形成されている。
本発明の好ましい態様においては、浴槽蓋内に形成された通路であって、施蓋時に一端が温風吹出口に連通し他端がサウナ空間に連通する通路により、温風案内通路が形成されている。
浴槽蓋の周縁部に形成された上に凸の屈曲部であって、施蓋時に温風吹出口の上方に位置する屈曲部が形成する温風案内通路により、或いは浴槽蓋内に形成された通路であって、施蓋時に一端が温風吹出口に連通し他端がサウナ空間に連通する通路が形成する温風案内通路により、浴槽本体の満水時溢れ面よりも上方の部位に形成された温風吹出口から吹き出した温風を、サウナ空間へ導くことができる。
【０００９】
本発明の好ましい態様においては、浴槽本体のリム面に開口が形成され、当該開口を取り囲んでリム面に立設された堰により形成される筒体の上端が温風吹出口を形成している。
浴槽本体の満水時溢れ面を形成するリム面に開口を形成し、当該開口を取り囲む堰をリム面に立設すれば、堰により形成される筒体の上端が形成する温風吹出口は満水時溢れ面より上方に位置決めされる。
【００１０】
本発明の好ましい態様においては、リム面に取り付けられた倒置皿状の案内部材であって、一部が温風吹出口を覆うと共に他の一部がリム面の内縁を越えて浴槽本体の内側へ突出する案内部材により、温風案内通路が形成されている。
リム面の開口を取り囲む堰により形成される筒体の上端が形成する温風吹出口から吹き出した温風は、一部が温風吹出口を覆うと共に他の一部がリム面の内縁を越えて浴槽本体の内側へ突出する案内部材が形成する温風案内通路により、支障無くサウナ空間へ導かれる。
【００１１】
本発明の好ましい態様においては、前記案内部材が嵌合可能な切欠が浴槽蓋に形成されている。
前記案内部材を浴槽蓋に形成された切欠に嵌合させることにより、支障なく浴槽本体に施蓋することができる。
【００１２】
本発明の好ましい態様においては、前記案内部材は断熱材で構成されている。
前記案内部材が断熱材で構成されていれば、サウナ使用時に案内部材外面の高温化が抑制される。
【００１３】
本発明の好ましい態様においては、浴槽本体にヘッドレストを有する膨出部が形成され、温風吹出口は当該膨出部から離隔した位置に配設されている。
温風吹出口がヘッドレストを有する膨出部から離隔した位置に配設されていれば、温風吹出口が入浴者の身体主要部から離隔し、浴槽サウナ装置の安全性が向上する。
【００１４】
本発明の好ましい態様においては、温風を浴槽本体の側壁に沿って吐出させる案内羽根が温風吹出口又はその近傍に取り付けられている。
本発明の好ましい態様においては、浴槽蓋内の通路により形成される温風案内通路のサウナ空間に連通する端部は、浴槽蓋の、施蓋時に浴槽本体の側壁に近接する部位に配設されている。
本発明の好ましい態様においては、倒置皿状の案内部材により形成される温風案内通路のサウナ空間に連通する端部は、浴槽本体の側壁に近接している。
案内羽根に案内されつつ吹出口から吹き出した温風、浴槽蓋内の通路により形成される温風案内通路のサウナ空間に連通する端部から吹き出した温風、倒置皿状の案内部材により形成される温風案内通路のサウナ空間に連通する端部から吐出した温風は、浴槽本体の側壁に沿って流れるので、入浴者には直接当たらない。この結果、浴槽サウナ装置の安全性が向上する。
【００１５】
【発明の実施の形態】
本発明の第１実施例に係る浴槽サウナ装置を説明する。
浴槽サウナ装置Ａは、図１、２に示すように、平面視略長方形の浴槽本体１を備えている。浴槽本体１のリム面１ａは、浴槽本体１の満水時溢れ面Ｌを形成している。浴槽本体１の一方の短辺側の側壁１ｂに、且つリム面１ａよりも下方の部位に、温風吹出口１ｃが形成されている。
側壁１ｂ上方のリム面１ａに上向きの膨出部１ｄが形成されている。上端が膨出部１ｄ内へ突出する略Ｌ字状に屈曲した案内板２ａが配設されている。案内板２ａの下端は、側壁１ｂ外面の温風吹出口１ｃ下縁近傍部に固定されている。膨出部１ｄの外側のすそ野部下面から下方へ延びる案内板２ｂが配設されている。側壁１ｂと膨出部１ｄと案内板２ａと案内板２ｂとが協働して、側壁１ｂの外側に配設された温風通路３を形成している。温風通路３の下流端は温風吹出口１ｃに接続している。膨出部１ｄと案内板２ａとが協働して、温風通路３の中流域に、上に凸の屈曲部３ａを形成している。屈曲部３ａは、満水時溢れ面Ｌよりも上方に位置する。
温風通路３の上流端に、散湯ノズル４が配設されている。散湯ノズル４は、給湯配管５ａを介して給湯機６に接続している。給湯機６は図示しない給水配管に接続されている。給湯機６から延びる給湯配管５ｂが、膨出部１ｄ近傍のリム面１ａに立設されたスパウト７に接続している。
【００１６】
浴槽本体１の他方の短辺側のリム面１ａに、平面視略馬蹄形の上向きの膨出部１ｅが形成されている。膨出部１ｅに、複数の湯吐水口１ｆと、一対の空気吹出口１ｇとが形成されている。湯吐水口１ｆは配管８を介して湯循環用ポンプ９に接続している。湯循環用ポンプ９は浴槽本体１の側壁に形成した図示しない開口を介して浴槽本体１の内側空間下部に連通している。空気吹出口１ｇは配管１０を介して送風機１１に接続している。膨出部１ｅの長手方向中央部にヘッドレスト１２が取り付けられている。
給湯機６、湯循環用ポンプ９、送風機１１の作動を制御する制御装置１３が膨出部１ｅ近傍のリム面１ａに取り付けられている。
【００１７】
半部分１４ａ、１４ｂから成る浴槽蓋１４が配設されている。半部分１４ａには、入浴者の首部を受け入れる切欠１４ａ′が形成されている。半部分１４ａの切欠１４ａ′が形成された一端が膨出部１ｅに当接し、半部分１４ｂの一端がリム面の膨出部１ｄに当接し、半部分１４ａの他端と半部分１４ｂの他端とが互いに当接した状態で、浴槽蓋１４は浴槽本体１のリム面１ａ上に載置される。リム面１ａ上に載置された浴槽蓋１４と浴槽本体１とにより、前記両者により包囲されたサウナ空間Ｓが形成される。
【００１８】
浴槽サウナ装置Ａの作動を説明する。
図３に示すように、入浴者Ｍは、制御装置１３の操作釦を操作し、スパウト７から中温の湯を吐出させて、入浴状態で下半身が没水する程度の水位まで湯浴槽本体１に湯を張る。入浴者Ｍは、半部分１４ａが上に重なった状態で浴槽蓋の半部分１４ｂをリム面１ａ上の正規位置に載置し、浴槽本体１に入る。
入浴者Ｍは、制御装置１３の操作釦を操作して、散湯ノズル４から所定総流量の高温の湯を吐出させる。入浴者Ｍは、浴槽蓋の半部分１４ａを手前に引き、切欠１４ａ′が入浴者Ｍの首部を受け入れた状態で、半部分１４ａをリム面１ａ上の正規位置に載置する。図３に示すように、浴槽本体１と浴槽蓋１４とにより、入浴者の首部から下の部分を包囲するサウナ空間Ｓが形成される。
散湯ノズル４から吐出した高温の湯はミスト化する。ミストを含む温風が、温風通路３の上流域内を上昇し、リム面の膨出部１ｄ内に形成された上に凸の屈曲部３ａを通過した後、図２、３で破線矢印で示すように、温風吹出口１ｃから直接サウナ空間Ｓへ吹き出す。屈曲部３ａを通過する際に、屈曲部３ａの天井壁に付着したミストは、湯滴と成って案内板２ａ上に落下し、温風吹出口１ｃの下縁を通って浴槽本体１内へ流入する。
【００１９】
サウナ空間Ｓへ吹き出した中高温のミストを含む温風は、サウナ空間Ｓ内に充満する。入浴者Ｍは、下半身を湯に漬ける半身浴と上半身を中高温のミストを含む温風に晒すミスト浴とにより、身体が芯から温まり、多量に発汗する。これにより、肩の凝りがほぐれ、毛穴に詰まった汚れや余分な皮脂や余分な老廃物が除去され、神経の昂りが抑制される。半身浴とミスト浴の組み合わせから成る発汗浴は、全身を湯に漬ける全身浴に比べて心臓や肺への負担が少ない。また、半身浴用の湯を漲ることで浮力が発生し、入浴者の臀部に浴槽底から印加される負荷が減少するので、リラックスして入浴できる。
入浴者Ｍは、半身浴とミスト浴の組み合わせから成る発汗浴中に、浴槽蓋１４ａを僅かにずらして制御装置１３の操作釦を操作し、図３で実線矢印で示すのぼせ防止用空気流を、空気吹出口１ｇから頭部へ向けて吐出させることもできる。
入浴者Ｍは、半身浴中に、制御装置１３の操作釦を操作し、図４で実線矢印で示す肩湯を、湯吐出口１ｆから肩へ向けて吐出させることもできる。半身浴と肩湯とから成る入浴では、入浴者Ｍは心臓に負担を掛けることなく身体全体を温めることができ、肩の凝りがほぐれ、リラックスできる。肩から湯を浴びるので、冬季に、半身浴初期に上半身が寒いという不快感を解消できる。
【００２０】
入浴者Ｍが、発汗浴では無く全身浴を望む場合には、入浴者Ｍは浴槽蓋１４を取り去り、制御装置１３の操作釦を操作し、スパウト７から適温の湯を吐出させて、浴槽本体１に湯を満たす。湯の水位が溢れ面Ｌまで上昇しても、温風通路３の上に凸の屈曲部３ａは溢れ面Ｌよりも上方に在るので、浴槽本体１内の湯は屈曲部３ａを越えることができず、温風通路３を通って浴槽本体１から流出することができない。膨出部１ｅに形成された空気吐出口１ｇも溢れ面Ｌより上方に在るので、浴槽本体１内の湯は、空気吐出口１ｇと配管１０とを通って浴槽本体１から流出しない。従って、浴槽本体１に湯を溜めて浴槽本体１を通常の浴槽として使用する際に、満水時溢れ面Ｌまで浴槽本体１に湯を満たすことができる。
温風吹出口１ｃは膨出部１ｅから離隔した位置に配設されているので、図３から分かるように、温風吹出口１ｃは入浴者Ｍの身体主要部から離隔している。温風吹出口１ｃから吹き出したミストを含む温風が入浴者Ｍに直接当たらないので、浴槽サウナ装置Ａの安全性が向上する。
温風通路３の囲壁に付着し湯滴化したミストの一部が、案内板２ａを介し、湯水となって浴槽本体１内へ回収されることにより、湯の無駄遣いが抑制される。
【００２１】
本発明の第２実施例に係る浴槽サウナ装置を説明する。
本実施例に係る浴槽サウナ装置Ｂにおいては、浴槽サウナ装置Ａの温風吹出口１ｃに代えて、図５に示すように、浴槽本体１のリム面１ａに形成された上向きの膨出部１ｄに、温風吹出口１ｈが形成されている。案内板２ａは配設されておらず、温風通路３には上に凸の屈曲部３ａは形成されていない。浴槽蓋の半部分１４ｂの、施蓋時に膨出部１ｄに当接する端部に、施蓋時に温風吹出口１ｈの上方に位置する上向きの屈曲部１４ｂ′が形成されている。屈曲部１４ｂ′により温風案内通路３′が形成されている。上記を除き、浴槽サウナ装置Ｂの構成は浴槽サウナ装置Ａの構成と同様である。
浴槽サウナ装置Ｂにおいては、散湯ノズル４から吐出した高温の湯はミスト化する。ミストを含む温風が、図５で破線矢印で示すように、温風通路３の上流域内を上昇し、温風吹出口１ｈから吐出し、温風案内通路３′に導かれて、サウナ空間Ｓへ吹き出す。
リム面１ａから上方へ突出する膨出部１ｄに形成された温風吹出口１ｈは、浴槽本体１の満水時溢れ面Ｌよりも上方に在るので、浴槽本体１に湯を溜めて浴槽本体１を通常の浴槽として使用する際に、水位が満水時溢れ面Ｌまで達しても、浴槽本体１内の湯は温風吹出口１ｈへ流入できず、温風通路３を通って浴槽本体１から流出することができない。従って、満水時溢れ面まで浴槽本体１に湯を満たすことができる。
温風吹出口１ｈから吹き出したミストを含む温風は、浴槽蓋の半部分１４ｂに形成された上向きの屈曲部１４ｂ′が形成する温風案内通路３′を通って、支障なくサウナ空間Ｓへ導かれる。
【００２２】
本発明の第３実施例に係る浴槽サウナ装置を説明する。
本実施例に係る浴槽サウナ装置Ｃにおいては、上向きの屈曲部１４ｂ′に代えて、図６に示すように、施蓋時に一端が温風吹出口１ｈに連通し複数の他端がサウナ空間Ｓに連通する通路１４ｃが浴槽蓋の半部分１４ｂ内に形成されている。通路１４ｃにより、温風案内通路３′が形成されている。上記を除き、浴槽サウナ装置Ｃの構成は浴槽サウナ装置Ｂの構成と同様である。
浴槽サウナ装置Ｃにおいては、散湯ノズル４から吐出した高温の湯はミスト化する。ミストを含む温風が、図６で破線矢印で示すように、温風通路３の上流域内を上昇し、温風吹出口１ｈから吐出し、温風案内通路３′に導かれて、サウナ空間Ｓへ吹き出す。
リム面１ａから上方へ突出する膨出部１ｄに形成された温風吹出口１ｈは、浴槽本体１の満水時溢れ面Ｌよりも上方に在るので、浴槽本体１に湯を溜めて浴槽本体１を通常の浴槽として使用する際に、水位が満水時溢れ面Ｌまで達しても、浴槽本体１内の湯は温風吹出口１ｈへ流入できず、温風通路３を通って浴槽本体１から流出することができない。従って、満水時溢れ面まで浴槽本体１に湯を満たすことができる。
温風吹出口１ｈから吹き出したミストを含む温風は、浴槽蓋の半部分１４ｂ内に形成された通路１４ｃが形成する温風案内通路３′を通って、支障なくサウナ空間Ｓへ導かれる。
【００２３】
本発明の第４実施例に係る浴槽サウナ装置を説明する。
本実施例に係る浴槽サウナ装置Ｄにおいては、リム面１ａに上向きの膨出部１ｄを形成するの代えて、図７に示すように、側壁１ｂ近傍のリム面１ａに開口１ａ′が形成されている。開口１ａ′を取り囲んで堰１５がリム面１ａに立設されている。堰１５により形成される筒体の上端が温風吹出口１ｉを形成している。案内板２ａは配設されておらず、温風通路３には上に凸の屈曲部３ａは形成されていない。リム面１ａに取り付けられた倒置皿状の案内部材であって、一部が温風吹出口１ｉを覆うと共に他の一部がリム面１ａの内縁を越えて浴槽本体１の内側へ突出する案内部材１６により、温風案内通路３′が形成されている。堰１５の一部は案内部材１６の側壁と一体化している。案内部材１６は断熱材により形成されている。施蓋時に案内部材１６が嵌合可能な切欠１４ｂ″が浴槽蓋の半部分１４ｂに形成されている。上記を除き、浴槽サウナ装置Ｄの構成は浴槽サウナ装置Ａの構成と同様である。
浴槽サウナ装置Ｄにおいては、散湯ノズル４から吐出した高温の湯はミスト化する。ミストを含む温風が、図７で破線矢印で示すように、温風通路３の上流域内を上昇し、温風吹出口１ｉから吐出し、温風案内通路３′に導かれて、サウナ空間Ｓへ吹き出す。
リム面１ａから上方へ突出する堰１５により形成される筒体の上端が形成する温風吹出口１ｉは、浴槽本体１の満水時溢れ面Ｌよりも上方に在るので、浴槽本体１に湯を溜めて浴槽本体１を通常の浴槽として使用する際に、水位が満水時溢れ面Ｌまで達しても、浴槽本体１内の湯は温風吹出口１ｉへ流入できず、温風通路３を通って浴槽本体１から流出することができない。従って、満水時溢れ面まで浴槽本体１に湯を満たすことができる。
温風吹出口１ｉから吹き出したミストを含む温風は、一部がミスト吹出口１ｉを覆うと共に他の一部がリム面１ａの内縁を越えて浴槽本体１の内側へ突出する案内部材１６が形成する温風案内通路３′を通って、支障無くサウナ空間Ｓへ導かれる。
案内部材１６を浴槽蓋の半部分１４ｂに形成された切欠１４ｂ″に嵌合させることにより、支障なく浴槽本体１に施蓋することができる。
案内部材１６は断熱材で形成されているので、浴槽サウナ装置Ｄの使用時に案内部材１６外面の高温化が抑制される。
【００２４】
浴槽サウナ装置Ａ、Ｂにおいて、温風吹出口１ｃ、１ｈに又はその近傍に図８に示す案内羽根１ｃ′、１ｈ′を取り付け、図３で一点鎖線矢印で示すようにミストを含む温風を浴槽本体１の側壁に沿って吐出させても良い。
浴槽サウナ装置Ｃにおいて、温風案内通路３′のサウナ空間Ｓに連通する端部３″を、図９に示すように、浴槽蓋の半部分１４ｂの、施蓋時に浴槽本体１の側壁１ｂに近接する部位に、或いは施蓋時に浴槽本体１の長辺側の側壁に近接する部位に、位置決めしても良い。
浴槽サウナ装置Ｄにおいて、温風案内通路３′のサウナ空間Ｓに連通する端部を、浴槽本体１の側壁１ｂに近接させても良い。
案内羽根に案内されつつ吹出口１ｃ、１ｈから吹き出したミストを含む温風、温風案内通路３′のサウナ空間Ｓに連通する端部から吐出したミストを含む温風は、浴槽本体１の側壁に沿って流れるので、入浴者には直接当たらない。この結果、浴槽サウナ装置Ａ〜Ｄの安全性が向上する。
【００２５】
浴槽本体１に温風吹出口を形成せず、浴槽蓋１４と浴槽本体１との間の隙間や浴槽蓋１４に形成した開口にシャワーノズル等を挿入して、ミストを含む温風を浴槽本体１に吹き込む場合でも、浴槽本体１へ吹き込まれたミストを含む温風が浴槽本体１の側壁に沿って流れるように、シャワーノズルを差し向け、或いは浴槽蓋の開口を施蓋時に浴槽本体１の側壁に接近する位置に形成し、或いは浴槽蓋の開口に案内羽根を取り付けるのが、浴槽サウナ装置の安全性の観点から望ましい。
【００２６】
図１０に示すように、浴室洗い場に配設された水栓のサーモユニット（電気を使わない機械的構成により、水栓から吐出する湯の温度を所望の設定温度に維持する公知の湯温設定装置）１７から分岐した配管１８を散湯ノズル４に接続しても良い。配管１８の途上に、任意の所定総流量で自動的に閉じる機械的構成の公知の定量止水弁１９を配設する。前記水栓には、任意の所定温度以上の湯の吐出を阻止する機械的構成の公知のハイカット弁２０を介してシャワーノズル２１を接続する。散湯ノズル４からの高温湯の吐出は定量止水弁１９で制御し、シャワーノズル２１と洗い場スパウト２２からの中温湯の吐出の切換は、吐水切換ハンドル２３により行う。図１１に示すように、サーモユニット１７の温度調節ツマミ１７ａの周囲に配設される温度表示部を、シャワー吐水時の温度表示部１７ｂとサウナ使用時の温度表示部１７ｃとにより構成する。
上記構成によれば、電気的手段を用いることなく、散湯ノズル４から吐出するミストの温度、総流量等を制御することができる。洗い場水栓のサーモユニット１７を散湯ノズル４からのミストの吐出にも利用するので、散湯ノズル４専用のサーモユニットを配設する場合に比べて浴槽サウナ装置の製造コストが低減する。サウナ使用後に吐水切換ハンドル２２を操作して、シャワーノズル２１を使用する際に、誤って高温の湯をシャワーノズル２１から吐出させる危険性が、ハイカット弁２０の配設により防止される。サウナ使用時の湯温選択は、一般に、夏期のやや低い高温と、冬季のやや高い高温の二種類である。従って、シャワー使用時用の一般的な温度表示部１７ｂに加えて、夏期用のやや低い高温と冬季用のやや高い高温の２つの温度目盛のみが刻印されたサウナ使用時用の温度表示部１７ｃを配設すれば、サウナ使用時の湯温設定操作が容易になる。
【００２７】
上記実施例では、温風吹出口１ｃ、１ｈからミストを含む温風を吹き出したが、単なる温風を吹き出しても良い。
【００２８】
【発明の効果】
上記説明から分かるように、本発明に係る浴槽サウナ装置においては、温風吹出口が槽本体の満水時溢れ面よりも下方の側壁に形成されているので、温風は温風吹出口から直接サウナ空間へ吹き出す。上に凸に屈曲し一端が前記吹出口に接続すると共に屈曲部が浴槽本体の満水時溢れ面よりも上方に位置する温風通路を、浴槽本体の側壁の外側に配設したので、浴槽本体に湯を溜めて浴槽本体を通常の浴槽として使用する際に、水位が満水時溢れ面まで達しても、浴槽本体内の湯は温風通路の屈曲部を越えることができず、温風通路を通って浴槽本体から流出することができない。従って、満水時溢れ面まで浴槽本体に湯を満たすことができる。
【図面の簡単な説明】
【図１】本発明の第１実施例に係る浴槽サウナ装置の斜視図である。
【図２】本発明の第１実施例に係る浴槽サウナ装置の部分断面図である。
【図３】本発明の第１実施例に係る浴槽サウナ装置の使用時の斜視図である。
【図４】本発明の第１実施例に係る浴槽サウナ装置の使用時の斜視図である。
【図５】本発明の第２実施例に係る浴槽サウナ装置の部分断面図である。
【図６】本発明の第３実施例に係る浴槽サウナ装置の部分断面図である。
【図７】本発明の第４実施例に係る浴槽サウナ装置の構造図である。（ａ）は部分断面図であり、（ｂ）は部分斜視図である。
【図８】本発明の第１、２実施例に係る浴槽サウナ装置の変形例の部分断面図である。
【図９】本発明の第３実施例に係る浴槽サウナ装置の変形例の部分斜視図である。
【図１０】本発明の他の実施例に係る浴槽サウナ装置の部分上面図である。
【図１１】図１０の浴槽サウナ装置のサーモユニットの拡大上面図である。
【符号の説明】
１  浴槽本体
１ａ  リム面
１ａ′  開口
１ｃ、１ｈ  温風吹出口
１ｄ  膨出部
１ｅ  膨出部
３  温風通路
４  散湯ノズル
６  給湯機
１４  浴槽蓋
１５  堰
１６  案内部材
【図１】
0003770384.tif 000002
【図２】
0003770384.tif 000003
【図３】
0003770384.tif 000004
【図４】
0003770384.tif 000005
【図５】
0003770384.tif 000006
【図６】
0003770384.tif 000007
【図７】
0003770384.tif 000008
【図８】
0003770384.tif 000009
【図９】
0003770384.tif 000010
【図１０】
0003770384.tif 000011
【図１１】
0003770384.tif 000012